(57)【要約】【課題】土中や水中に磁力線を容易にかつ確実に放射することが可能な磁力線放射具を提供できるようにする。【解決手段】中空パイプ状に構成された磁力線放射具本体１１の内部に、同じ極同士が対面するようにして複数の棒状磁石１４ａ、１４ｂ、１４ｃ・・・を収納して、上記複数の棒状磁石１４ａ、１４ｂ、１４ｃ・・・の各々が相互に磁気反発して、各棒状磁石１４ａ、１４ｂ、１４ｃ・・・間に所定寸法の間隙１５が存在するように構成することにより、上記磁力線放射具本体１１の略全長の複数個所から磁力線を放射することができるようにして、所望の土中や水中に磁力線を放射することが可能な磁力線放射具１０を提供できるようにする。【選択図】        図１
2004275968.tif 000002
【特許請求の範囲】
【請求項１】
中空パイプ状に構成された磁力線放射具本体の内部に複数の棒状磁石を収納してなる磁力線放射具であって、
上記複数の棒状磁石の夫々は、同じ極同士が対面するように上記磁力線放射具本体の内部に収納されていて、上記磁力線放射具本体の複数個所から磁力線が放射されるように構成したことを特徴とする磁力線放射具。
【請求項２】
上記磁力線放射具本体は多少の剛性及び塑性を有する合成樹脂によって形成され、弧状に変形させた状態で使用可能なことを特徴とする請求項１に記載の磁力線放射具。
【請求項３】
中空パイプ状に構成された磁力線放射具本体の内部に複数の棒状磁石を収納してなる磁力線放射具であって、
上記複数の棒状磁石の夫々は、異なる極同士が対面するように上記磁力線放射具本体の内部に収納されていて、上記磁力線放射具本体端部から磁力線が集中的に放射され、上記磁力線放射具本体は全体として１本の棒磁石として作用するように構成したことを特徴とする磁力線放射具。
【請求項４】
上記磁力線放射具本体は多少の剛性及び塑性を有する合成樹脂によって形成され、弧状に変形させた状態で使用可能なことを特徴とする請求項３に記載の磁力線放射具。
【発明の詳細な説明】
【０００１】
【発明の属する技術分野】
本発明は磁力線放射具に関し、特に、磁力線の放射源として小さな複数の棒状磁石を使用して、強力な磁力線を土中や水中に放射するために用いて好適な磁力線放射具に関するものである。
【０００２】
【従来の技術】
周知の通り、地球は北極にＳ極、南極にＮ極をもつ大きな磁石であり、地球は南から北に向かう磁場、すなわち磁力線を有している。したがって、土壌中には磁力線が流れており、上記磁力線によって土壌中の種々の成分が活性化されることが知られている。
【０００３】
上記磁力線によって活性化される種々の成分のうち、植物の生長に係わる微量成分としては窒素・リン酸・カリウムにカルシウム（石灰）・マグネシウム（苦土）・イオウ・珪素・鉄・マンガン・ホウ素・銅・亜鉛・塩素・モリブデン・ナトリウム・ゲルマニウム等の微量成分等であることが知られている。
【０００４】
【発明が解決しようとする課題】
以上のような種々の微量成分は土壌中を流れている磁力線によって活性化されているので、植物を栽培するためには十分な磁力線を土中に放射するのが好ましいとされている。通常は、上記したように地球自体が磁石であることにより、自然な状態においても土中には上記種々の微量成分を活性化させるための磁力線が流れている。
【０００５】
一説には、上記地球の磁力線は空気を介しても流れるが、地中を介して流れる場合と比較して激減すると言われている。このため、地面と絶縁した状態で植木鉢に入れられた土中には地球からの磁力線がやや流れ難くなるとされている。
【０００６】
このため、例えば鉢植えで植物を栽培するのは、それも高層階での鉢植えで植物を栽培するのは、地面に直接植物を植えて栽培する場合と比較して磁力線を土中に通す点に於いてやや難しい場合があると考えられている。
本発明は上述の問題点にかんがみてなされたもので、所望の土中や水中に磁力線を容易にかつ確実に放射することが可能な磁力線放射具を提供できるようにすることを目的とする。
【０００７】
【課題を解決するための手段】
本発明の磁力線放射具は、中空パイプ状に構成された磁力線放射具本体の内部に複数の棒状磁石を収納してなる磁力線放射具であって、上記複数の棒状磁石の夫々は、同じ極同士が対面するように上記磁力線放射具本体の内部に収納されていて、上記磁力線放射具本体の複数個所から磁力線が放射されるように構成したことを特徴としている。
【０００８】
また、本発明の他の特徴とするところは、上記磁力線放射具本体は多少の剛性及び塑性を有する合成樹脂によって形成され、弧状に変形させた状態で使用可能なことを特徴としている。
【０００９】
また、本発明のその他の特徴とするところは、中空パイプ状に構成された磁力線放射具本体の内部に複数の棒状磁石を収納してなる磁力線放射具であって、上記複数の棒状磁石の夫々は、異なる極同士が対面するように上記磁力線放射具本体の内部に収納されていて、上記磁力線放射具本体端部から磁力線が集中的に放射され、上記磁力線放射具本体は全体として１本の棒磁石として作用するように構成したことを特徴としている。
【００１０】
また、本発明のその他の特徴とするところは、上記磁力線放射具本体は多少の剛性及び塑性を有する合成樹脂によって形成され、弧状に変形させた状態で使用可能なことを特徴としている。
【００１１】
【発明の実施の形態】
次に、添付図面を参照しながら本発明の磁力線放射具の実施の形態について説明する。
図１は、本発明に係る磁力線放射具の第１の実施の形態を示し、磁力線放射具の斜視図である。図１に示すように、本実施の形態の磁力線放射具１０は、多少の剛性及び塑性を有する合成樹脂によって中空パイプ状に構成された磁力線放射具本体１１の内部に複数の棒状磁石を収納して構成されている。
【００１２】
本実施の形態においては、図１中の符号Ａ部の拡大断面を表す図２に示すように、内部に複数の棒状磁石１４ａ、１４ｂ、１４ｃ・・・を配設して、一方の端部を第１のストッパー１２で塞ぐとともに、他方の端部を第２のストッパー１３で塞いで構成したものである。
【００１３】
本実施の形態においては、上記磁力線放射具本体１１の内部に収納する複数の棒状磁石１４ａ、１４ｂ、１４ｃ・・・が同じ極同士で対面するようにしている。これにより、上記複数の棒状磁石１４ａ、１４ｂ、１４ｃ・・・の夫々は、各棒状磁石１４ａ、１４ｂ、１４ｃ・・・間に所定寸法の間隙１５が存在するようにして収納されている。
【００１４】
このように、複数の棒状磁石１４ａ、１４ｂ、１４ｃ・・・が同じ極同士で対面するようにしたことにより、各棒状磁石１４ａ、１４ｂ、１４ｃ・・・間からは磁力線放射具本体１１の外部に向けて磁力線が放射されることになる。したがって、本実施の形態の磁力線放射具１０は、その略全長にわたって磁力線を放射する場合に用いて適している。
【００１５】
上記複数の棒状磁石１４ａ、１４ｂ、１４ｃ・・・は、本実施の形態においては鉄―ボロン系の希土類磁石によって構成されている。上記希土類磁石とは、レア・アース（希土類）と呼ばれる金属元素であり、その希少性から希（まれ）な土類（アルミナや石灰等を示す）を意味する希土類という名前が付けられている。
【００１６】
フェライト磁石と希土磁石の最大の違いは、その磁気特性の大きさにある。希土類磁石はフェライト磁石と比べてはるかに強力な磁石を構成することが可能である。
【００１７】
ところで、永久磁石の性能を決める要素として、磁化の大きさと保磁力が有るが、希土類磁石は、酸素を含まない状態でＦｅ、Ｃｏを含有するので磁化が大きく、さらにレア・アース元素によって磁化を一方向に揃える力（保磁力）が強いため、フェライトに比べてはるかに強力な磁石を構成することができる。
【００１８】
中でも、鉄（Ｆｅ）及びボロン（Ｂ）を主成分とする鉄―ボロン系希土類磁石は、性能とコストの両方を両立させた希土類磁石として注目されている。また、従来は弱点とされた耐食性もメッキを始めとする各種表面処理によって改善することが可能となっている。
【００１９】
図３に、本実施の形態の磁力線放射具１０の好適な使用例を示す。この例は、植木鉢１内に培養土２を入れて植物３を栽培するときに磁力線放射具１０を用いた例を示している。上記培養土２中には植物３の生長に必要な種々の微量成分が含まれている。
【００２０】
上記微量成分としては、例えば、窒素・リン酸・カリウムにカルシウム（石灰）・マグネシウム（苦土）・珪素・イオウ・マンガン・ホウ素・鉄・銅・亜鉛・モリブデン・ナトリウム・塩素・ゲルマニウム等である。
【００２１】
上記磁力線放射具１０から上記培養土２に磁力線が放射される。上記培養土２には、上述したような種々の微量成分が含まれており、これらの種々の微量成分は上記磁力線放射具１０から放射される磁力線によって活性化される。
【００２２】
植物が生長するためには種々の成分が必要とされている。例えば、「根の発育」のためには、窒素・リン酸・カリウムにカルシウム（石灰）・マンガン・鉄・モリブデン・ナトリウム・ゲルマニウム等が必要とされている。
【００２３】
また、「発芽の促進」には、窒素・リン酸・カリウムに・マグネシウム（苦土）・ホウ素・ナトリウム等が必要とされている。
また、「茎・葉の促進」には、窒素・リン酸・カリウムにカルシウム（石灰）・マグネシウム（苦土）・珪素・イオウ・鉄・亜鉛・ナトリウム・塩素・ゲルマニウム等が必要とされている。
【００２４】
また、「活着の促進」には、リン酸・カリウムにカルシウム（石灰）・ナトリウム等が必要とされている。
また、「根腐れ芯腐れ防止」には、リン酸・カルシウム（石灰）・マグネシウム（苦土）・・マンガン・ホウ素・鉄・モリブデン等が必要とされている。
【００２５】
また、「病害の抵抗力」には、窒素・リン酸・カリウムにカルシウム（石灰）・マグネシウム（苦土）・珪素・マンガン・ホウ素・鉄・銅・亜鉛・ナトリウム・ゲルマニウム等が必要とされている。
【００２６】
上述した他に、「連作障害の防止」、「隔年結果の防止」、「穀・豆類の促進」、「澱粉造成の促進」、「糖分造成促進」、「固体重量増加」、「貯蔵力の強化」等にも上述した微量成分が必要とされている。
【００２７】
本実施の形態の磁力線放射具１０は、図３に示したような植木鉢１にて植物３を栽培するような場合においても、上記植木鉢１内に収納した培養土２中に含まれる種々の微量成分を容易に、かつ確実に活性化することができるので、植物３を植木鉢１にて良好に栽培することが期待できる。
【００２８】
次に、図４を参照しながら本発明の磁力線放射具の第２の実施の形態を説明する。
第２の実施の形態の磁力線放射具２０の場合は、磁力線放射具本体２１を、多少の剛性及び塑性を有する合成樹脂によって形成することにより、使用状況に応じて弧状に変形させて使用することができる。
【００２９】
この例の場合、上記磁力線放射具２０中に収納する複数の棒状磁石１４ａ、１４ｂ、１４ｃ・・・の配列は上述した第１の実施の形態における磁力線放射具１０と同様であり、同じ極が対向するように配設している図示を省略する。
【００３０】
上記弧状に形成した磁力線放射具２０を使用する例としては種々であるが、例えば、図５に示したように、第１の棚４と第２の棚５との間に置かれている水槽６にカバー７が取り付けられているような場合において、上記カバー７に形成されている開口穴８を通して磁力線放射具２０を水槽６内に差し込む場合に用いて好適である。
【００３１】
上述のようにして、磁力線放射具２０を水槽６内に差し込むことにより、上記水槽６内に収納されている水９に磁力線を放射することができる。これにより、上記水９内に含まれている微量成分であるカルシウム、マグネシウム、カリウム、亜鉛、ナトリウム等を活性化することができる。
【００３２】
次に、図６を参照しながら本発明の磁力線放射具の第３の実施の形態を説明する。
本実施の形態の磁力線放射具３０は、磁力線放射具本体３１の内部に複数の棒状磁石３４ａ、３４ｂ、３４ｃ、３４ｄ、３４ｅ・・・を配設して、一方の端部を第１のストッパー３２で塞ぐとともに、他方の端部を第２のストッパー３３で塞いで構成したものである。
【００３３】
本実施の形態においては、上記磁力線放射具本体３１の内部に収納する複数の棒状磁石３４ａ、３４ｂ、３４ｃ、３４ｄ、３４ｅ・・・が異なる極で対面するようにしている。これにより、上記複数の棒状磁石３４ａ、３４ｂ、３４ｃ、３４ｄ、３４ｅ・・・は相互に磁気吸着するので、小さな複数の棒状磁石３４ａ、３４ｂ、３４ｃ、３４ｄ、３４ｅ・・・を収納して構成したのであるが、１本の長い棒磁石であるかのように作用する。
【００３４】
このように、複数の棒状磁石１４ａ、１４ｂ、１４ｃ・・・が同じ極同士で対面するようにしたことにより、磁力線放射具本体３１の両端部から強い磁力線が集中的に放射されるので、本実施の形態の磁力線放射具３０は、磁力線を集中的に放射する場合に用いて適している。
【００３５】
上記複数の棒状磁石３４ａ、３４ｂ、３４ｃ、３４ｄ、３４ｅ・・・の場合も上述した第１及び第２の実施の形態の場合と同様に、鉄―ボロン系の希土類磁石によって構成されており、詳細な説明を省略する。
【００３６】
図７に、本実施の形態の磁力線放射具３０の使用例を説明する。
図７に示した例は、コップ７０内に入れた酒、ウイスキー等の飲料７１を掻き混ぜるために使用している例を示している。このように飲料７１を掻き混ぜていることにより、上記飲料７１に磁力線を放射することができ、上記飲料７１内に含まれている微量成分であるカルシウム、マグネシウム、カリウム、亜鉛、ナトリウム等を磁力線により活性化することができる。
【００３７】
次に、図８を参照しながら本発明の第４の実施の形態を説明する。
本実施の形態の磁力線放射具４０の場合は、上述した第２の実施の形態における磁力線放射具２０のように、磁力線放射具本体４１を、多少の剛性及び塑性を有する合成樹脂によって形成して、使用状況に応じて弧状に変形させて使用可能にしている。
【００３８】
上記磁力線放射具４０の内部に収納する複数の棒状磁石は、第３の実施の形態で説明した場合と同様であり、図示及び詳細な説明を省略する。
【００３９】
【発明の効果】
以上説明してきたように、本発明によれば、中空パイプ状に構成された磁力線放射具本体の内部に、同じ極同士が対面するように複数の棒状磁石を収納したので、全長の複数個所から磁力線を放射することが可能な磁力線放射具を提供することが可能となる。これにより、所望の土中や水中等に容易に、かつ確実に磁力線を放射することができる。
【００４０】
また、本発明の他の特徴によれば、全長の複数個所から磁力線を放射することが可能であるとともに、弧状に変形させた状態で使用可能な磁力線放射具を提供することができる。
【００４１】
また、本発明のその他の特徴によれば、中空パイプ状に構成された磁力線放射具本体の内部に、異なる極が対面するようにして複数の棒状磁石を収納したので、小さな複数の棒磁石を使用しているにも係わらず、上記磁力線放射具の両端部から磁力線を集中的に放射することが可能な磁力線放射具を提供することが可能となる。これにより、所望の土中や水中等に容易に、かつ確実に磁力線を放射することができる。
【００４２】
また、本発明の他の特徴によれば、磁力線放射具の両端部から磁力線を集中的に放射することが可能であるとともに、弧状に変形させた状態で使用可能な磁力線放射具を提供することができる。
【図面の簡単な説明】
【図１】本発明に係る磁力線放射具の第１の実施の形態を示し、磁力線放射具の斜視図である。
【図２】図１中のＡ部の拡大断面図である。
【図３】第１の実施の形態の磁力線放射具の好適な使用例を示す図である。
【図４】第２の実施の形態を示し、磁力線放射具の一例を示す図である。
【図５】第２の実施の形態の磁力線放射具の好適な使用例を示す図である。
【図６】第３の実施の形態を示し、一部を破断部で示した磁力線放射具の内部構成を説明する図である。
【図７】第３の実施の形態の磁力線放射具の好適な使用例を示す図である。
【図８】第４の実施の形態の磁力線放射具の好適な使用例を示す図である。
【符号の説明】
１  植木鉢
２  培養土
３  植物
４  第１の棚
５  第２の棚
６  水槽
７  カバー
８  開口穴
９  水
１０  第１の実施の形態の磁力線放射具
１１  第１の実施の形態の磁力線放射具本体
１２  第１の実施の形態の第１のストッパー
１３  第１の実施の形態の第２のストッパー
１４ａ、１４ｂ、１４ｃ  複数の棒状磁石
１５  所定寸法の間隙
２０  第２の実施の形態の磁力線放射具
２１  第２の実施の形態の磁力線放射具本体
３０  第３の実施の形態の磁力線放射具
３１  第３の実施の形態の磁力線放射具本体
３２  第３の実施の形態の第１のストッパー
３３  第３の実施の形態の第２のストッパー
３４ａ、３４ｂ、３４ｃ、３４ｄ、３４ｅ  第３の実施の形態の複数の棒状磁石
４０  第４の実施の形態の磁力線放射具
４１  第４の実施の形態の磁力線放射具本体
７０  コップ
７１  飲料
【図１】
2004275968.tif 000003
【図２】
2004275968.tif 000004
【図３】
2004275968.tif 000005
【図４】
2004275968.tif 000006
【図５】
2004275968.tif 000007
【図６】
2004275968.tif 000008
【図７】
2004275968.tif 000009
【図８】
2004275968.tif 000010